(57)【特許請求の範囲】
【請求項１】
電動工具に形成されてバッテリーパックが装着される第１装着部と同じ形態の電源装着部と、前記電動工具に形成されてモータ及びファンを内設した集塵アタッチメントが装着される第２装着部と同じ形態のアタッチメント装着部と、前記電源装着部へ装着された前記バッテリーパックを電源として前記アタッチメント装着部に装着された前記集塵アタッチメントの前記モータを駆動させる電気回路とを備えたことを特徴とする集塵アタッチメント用アダプタ。
【請求項２】
前記電気回路を開閉操作するスイッチを備えたことを特徴とする請求項１に記載の集塵アタッチメント用アダプタ。
【請求項３】
平面視で前記バッテリーパックと前記集塵アタッチメントとの間に位置するハンドルを備えたことを特徴とする請求項１又は２に記載の集塵アタッチメント用アダプタ。
【請求項４】
付属品の収納部を設けたことを特徴とする請求項１乃至３の何れかに記載の集塵アタッチメント用アダプタ。
【発明の詳細な説明】
【技術分野】
【０００１】
本発明は、ハンマードリル等の電動工具に装着される集塵アタッチメントを単独使用するための集塵アタッチメント用アダプタに関する。
【背景技術】
【０００２】
集塵アタッチメントは、ハンマードリル等の電動工具に装着されて、穿孔作業等によって発生する粉塵を集塵するために用いられる。このような集塵アタッチメントとして、特許文献１には、上面に、バッテリーパックにおける電動工具への装着部と同じ形状の第一装着部が、下面に、電動工具におけるバッテリーパックの装着部と同じ形状の第二装着部をそれぞれ設けた本体内に、モータ及びファンを収容して、本体に吸入筒と排気筒とを突設し、吸入筒に吸込ノズルを、排気筒にダストバッグをそれぞれ連結したものが知られている。
この集塵アタッチメントは、第一装着部に電動工具を、第二装着部にバッテリーパックをそれぞれ装着して使用され、集塵アタッチメントのモータが駆動するとファンが回転し、吸込ノズルから粉塵を吸い込んでダストバッグに集めることができる。
【先行技術文献】
【特許文献】
【０００３】
【特許文献１】特開２００１−３００８６７号公報
【発明の概要】
【発明が解決しようとする課題】
【０００４】
上記従来の集塵アタッチメントは、本体にスイッチを備えているため、バッテリーパックを装着した状態で電動工具から取り外しても単独で使用できる。しかし、下面にバッテリーパックが直接装着されるため、上下に嵩高となって使用中に床等にぶつけたりするおそれがある。また、電動工具から取り外した状態では、第一装着部が設けられる集塵アタッチメントの上面を把持することになるため、単独での取り扱いがやりにくく、落下させるおそれもあって使い勝手が良くなかった。
【０００５】
そこで、本発明は、集塵アタッチメントを電動工具から取り外して単独使用する際に支持や操作がしやすく、良好な使い勝手が得られる集塵アタッチメント用アダプタを提供することを目的としたものである。
【課題を解決するための手段】
【０００６】
上記目的を達成するために、請求項１に記載の発明は、電動工具に形成されてバッテリーパックが装着される第１装着部と同じ形態の電源装着部と、電動工具に形成されてモータ及びファンを内設した集塵アタッチメントが装着される第２装着部と同じ形態のアタッチメント装着部と、電源装着部へ装着されたバッテリーパックを電源としてアタッチメント装着部に装着された集塵アタッチメントのモータを駆動させる電気回路とを備えたことを特徴とするものである。
請求項２に記載の発明は、請求項１の構成において、電気回路を開閉操作するスイッチを備えたことを特徴とするものである。
請求項３に記載の発明は、請求項１又は２の構成において、平面視でバッテリーパックと集塵アタッチメントとの間に位置するハンドルを備えたことを特徴とするものである。
請求項４に記載の発明は、請求項１乃至３の何れかの構成において、付属品の収納部を設けたことを特徴とするものである。
【発明の効果】
【０００７】
請求項１に記載の発明によれば、集塵アタッチメント用アダプタの採用により、バッテリーパックと集塵アタッチメントとを上下に嵩張ることなく結合できる。よって、集塵アタッチメントを電動工具から取り外して単独使用する際に支持や操作がしやすくなり、良好な使い勝手が得られる。
請求項２に記載の発明によれば、請求項１の効果に加えて、スイッチによって集塵アタッチメントの動作を任意にＯＮ／ＯＦＦ可能となり、使い勝手が向上すると共に、バッテリーパックの容量の節約にもなる。
請求項３に記載の発明によれば、請求項１又は２の効果に加えて、集塵アタッチメントを単独使用する際のバランスがよくなり、使用感が良好となる。
請求項４に記載の発明によれば、請求項１乃至３の何れかの効果に加えて、収納部によってノズル等の小物を保管でき、より便利となる。
【図面の簡単な説明】
【０００８】
【図１】バッテリーパック及び集塵アタッチメントを装着したハンマードリルの説明図である。
【図２】バッテリーパック及び集塵アタッチメントを装着した集塵アタッチメント用アダプタの説明図である。
【発明を実施するための形態】
【０００９】
以下、本発明の実施の形態を図面に基づいて説明する。
まず図１に、電動工具であるハンマードリルに集塵アタッチメントを装着した例を示す。ハンマードリル１は、左右一対の半割ハウジングを組み付けてなるハウジング２の前側（図１の右側を前方とする。）下部にモータ３を、出力軸４を後方上向きにして収容しており、その上方でベベルギヤ５を介してトルク伝達される中間軸６に、前方から第１ギヤ７、クラッチ８、ボススリーブ９を備えている。中間軸６の上方には、筒状のツールホルダ１０が中間軸６と平行に軸支されて、その後方に遊挿されたピストンシリンダ１１の後端に、ボススリーブ９にスワッシュベアリングを介して外装されたアーム１２が連結されている。ピストンシリンダ１１の内部には、空気室１３を介してストライカ１４が前後移動可能に収容されて、その前方に設けたインパクトボルト１５を打撃可能としている。第１ギヤ７は、ツールホルダ１０に装着された第２ギヤ１６と噛合している。ツールホルダ１０の前端には、ドリルビット等の先端工具１８を着脱可能なチャック１７が設けられている。
【００１０】
一方、ハウジング２の後側上部には、スイッチ２０及びスイッチレバー２１を備えたハンドル１９が形成されており、ハンドル１９の下方には、電源となるバッテリーパック２２を装着するための第１装着部２３が形成されている。この第１装着部２３は、バッテリーパック２２の上面に設けた左右一対のスライドレール２５を左右から抱持する左右一対のガイドレール２４と、そのガイドレール２４の間に配置され、バッテリーパック２２側の端子と電気的に接続する端子２６とを備える周知の構造で、後方からバッテリーパック２２を、スライドレール２５をガイドレール２４の間に位置させて前方へスライドさせると、両レール２４，２５の嵌合と共に端子同士が接触する位置で結合される。２７は、バッテリーパック２２の後方部で上面からの突出位置へ付勢され、バッテリーパック２２の結合位置で第１装着部２３に設けた凹部２８に係合する抜け止め用のフックである。
【００１１】
また、ハウジング２の前側下部は、前面が前下がり傾斜する傾斜面部となってバッテリーパック２２の前方に突出する突出部２９となり、突出部２９の下面に、集塵アタッチメント４０を装着するための第２装着部３０が形成されている。この第２装着部３０は、バッテリーパック２２の第１装着部２３と同様に、左右一対のガイドレール３１と、そのガイドレール３１間に配置される端子３２とからなる。突出部２９の内部には、モータ３のコイル、スイッチ２０、端子２６，３２とそれぞれ電気的接続される図示しないコントローラが収容されている。
【００１２】
集塵アタッチメント４０は、ハンマードリル１の突出部２９に嵌合する側面視逆Ｌ字状のケーシング４１を有し、ケーシング４１の下部には、出力軸４３を前方へ向けたモータ４２が横向きに収容されると共に、その後方に図示しないコントローラが設けられている。また、出力軸４３には集塵ファン４４が固着されて、ケーシング４１内に区画形成されて側面に図示しない排気口を備えた吸気室４５内に収容されている。４６は、吸気室４５の前方でケーシング４１に形成されたダストボックスの結合部で、結合部４６の上側には、前向きに入口４８を突設し、出口４９を結合部４６の上面に開口させた案内通路４７が形成されている。また、結合部４６の後面には、集塵ファン４４の同軸上で結合部４６を吸気室４５と連通させる連通孔５０が形成されている。
【００１３】
また、結合部４６には、ダストボックス５１が着脱可能に装着されている。このダストボックス５１は、内部に図示しないフィルタユニットを備えた通気路を形成し、結合部４６への装着状態で、通気路におけるフィルタユニットの上流側となる吸込口５２が案内通路４７の出口４９に対向し、通気路におけるフィルタユニットの下流側となる排気口５３が連通孔５０に対向するものとなる。
さらに、案内通路４７の入口４８には、フレキシブルホース５４の後端が接続されている。このフレキシブルホース５４の前端は、先端工具１８が貫通する筒状の吸込部５５に接続されて、先端工具１８の周りから発生する粉塵を吸込部５５から吸込可能としている。吸込部５５は、ハンマードリル１のハウジング２の上方でツールホルダ１０の軸線方向と平行にスライド可能且つ前方へ突出付勢されるロッド５６の先端に支持されて、被加工面に当接するようになっている。
【００１４】
一方、ケーシング４１の後部上面には、突出部２９の第２装着部３０に設けたガイドレール３１間に嵌合する左右一対のスライドレール５７と、そのスライドレール５７間に位置する図示しない端子とが設けられている。すなわち、第１装着部２３へのバッテリーパック２２の装着構造と同じ構造で、ガイドレール３１の間にスライドレール５７を位置させた状態で、突出部２９に対してケーシング４１を後方へスライドさせると、両レール３１，５７の嵌合と共に端子同士が接触する位置で結合されるものである。
【００１５】
そして、図２は、バッテリーパック２２及び集塵アタッチメント４０を集塵アタッチメント用アダプタ（以下単に「アダプタ」という。）６０に装着した例を示している。このアダプタ６０は、前後方向に形成されるアダプタ本体６１の前端に、上向きの立ち上げ部６２を延設すると共に、立ち上げ部６２の上端に、後方へ突出するハンドル６３を延設した側面視倒Ｕ字状で、アダプタ本体６１と立ち上げ部６２との連結部から立ち上げ部６２にかけての形状は、ハンマードリル１の突出部２９と同じく前面が前下がり傾斜する傾斜面部となって前方に突出するＶ字状の角部６４となっている。
【００１６】
アダプタ本体６１の後方下部には、ハンマードリル１の第１装着部２３と同じくガイドレール６６及び端子６７、凹部６８をそれぞれ備えた電源装着部６５が形成されて、バッテリーパック２２が後方からスライド装着可能となっている。一方、角部６４の下面には、ハンマードリル１の第２装着部３０と同じくガイドレール７０及び端子７１を備えたアタッチメント装着部６９が形成されている。
また、アダプタ本体６１の側面には、付属品の収納部７２が形成されている。ここでは付属品として、集塵アタッチメント４０のフレキシブルホース５４の前端に接続可能な付け替え用のノズル７３が、収納部７２を構成する複数の保持片によって保持されている。
【００１７】
さらに、アダプタ本体６１内には、電源装着部６５に装着されたバッテリーパック２２と接続される端子６７と、アタッチメント装着部６９に装着された集塵アタッチメント４０と接続される端子７１とを直列に接続して、バッテリーパック２２から集塵アタッチメント４０へ電源を供給する電気回路が形成されている。ハンドル６３の側面には、当該電気回路を開閉操作するスイッチ７４が設けられている。
なお、アダプタ本体６１の左右幅は、バッテリーパック２２及び集塵アタッチメント４０と略同じで、立ち上げ部６２は、上方へ行くに従って徐々に左右幅が狭くなるテーパ状となっている。ハンドル６３は、スイッチ７４を含む全長に亘り、手で把持できる太さで形成されている。
【００１８】
以上の如く構成されたハンマードリル１及びバッテリーパック２２、集塵アタッチメント４０、アダプタ６０において、まずハンマードリル１にバッテリーパック２２及び集塵アタッチメント４０を装着して使用する際には、図１のように、第１装着部２３にバッテリーパック２２を、第２装着部３０に集塵アタッチメント４０をそれぞれスライド装着させて、フレキシブルホース５４の前端を吸込部５５に接続する。
【００１９】
そして、ハンマードリル１のスイッチレバー２１を押し込み操作してスイッチ２０をＯＮさせると、モータ３が駆動して中間軸６を回転させる。このとき、ハウジング２の外部からクラッチ８をスライド操作して、第１ギヤ７のみと係合する前進位置、ボススリーブ９のみと係合する後退位置、第１ギヤ７及びボススリーブ９と同時に係合する中間位置の何れかを選択することで、第２ギヤ１６を介してツールホルダ１０が回転して先端工具１８を回転させるドリルモード、アーム１２の揺動によってピストンシリンダ１１を往復動させ、連動するストライカ１４によってインパクトボルト１５を介して先端工具１８を打撃するハンマーモード、ツールホルダ１０の回転とインパクトボルト１５の打撃とを同時に行うハンマードリルモードの選択が可能となる。
【００２０】
一方、スイッチ２０のＯＮによってハンマードリル１のコントローラは、集塵アタッチメント４０のコントローラへ電源を供給する。よって、集塵アタッチメント４０においても、モータ４２が駆動して集塵ファン４４が回転する。これにより、吸込部５５から外気が吸引され、フレキシブルホース５４及び案内通路４７を通ってダストボックス５１内に排出され、連通孔５０を介して吸気室４５に至り、吸気室４５に設けた排気口から外部へ排出される。従って、回転等する先端工具１８によって被加工材から生じた粉塵は、吸込部５５からフレキシブルホース５４及び案内通路４７を介してダストボックス５１内に進入し、フィルタユニットに捕捉されて貯留することになる。
なお、バッテリーパック２２や集塵アタッチメント４０の取り外しは、装着時と逆方向へバッテリーパック２２や集塵アタッチメント４０をスライドさせて行われる。
【００２１】
次に、集塵アタッチメント４０のみを使用する際には、図２に示すように、アダプタ６０の電源装着部６５に、ハンマードリル１から取り外したバッテリーパック２２をスライド装着する一方、アタッチメント装着部６９に、ハンマードリル１から取り外した集塵アタッチメント４０をスライド装着して、フレキシブルホース５４の先端にノズル７５等を差し込み接続する。すると、アダプタ６０に集塵アタッチメント４０とバッテリーパック２２とが前後に並んで結合され、ハンドル６３を把持することで集塵アタッチメント４０を任意の向きや姿勢で支持できる。このとき、ハンドル６３は、平面視で前後に位置するバッテリーパック２２と集塵アタッチメント４０との間に位置するようになっているため、ハンドル６３を把持した際のバランスがよく、集塵アタッチメント４０の操作に負担がかからない。
【００２２】
そして、ハンドル６３のスイッチ７４をＯＮ操作すると、バッテリーパック２２を電源としてモータ４２が駆動して集塵ファン４４が回転するため、ノズル７５を集塵したい箇所にあてがうことで粉塵をダストボックス５１に集めることができる。よって、例えば集塵アタッチメント４０を装着したハンマードリル１で穿孔作業を行った後、ハンマードリル１から取り外した集塵アタッチメント４０及びバッテリーパック２２をアダプタ６０に付け替えて、今度は集塵アタッチメント４０のみを単独で動作させて、孔の内部に残った粉塵を吸引するといった作業が楽に行える。
【００２３】
このように、上記形態のアダプタ６０によれば、ハンマードリル１に形成されてバッテリーパック２２が装着される第１装着部２３と同じ形態の電源装着部６５と、ハンマードリル１に形成されてモータ４２及び集塵ファン４４を内設した集塵アタッチメント４０が装着される第２装着部３０と同じ形態のアタッチメント装着部６９と、電源装着部６５へ装着されたバッテリーパック２２を電源としてアタッチメント装着部６９に装着された集塵アタッチメント４０のモータ４２を駆動させる電気回路とを備えたことで、バッテリーパック２２と集塵アタッチメント４０とを上下に嵩張ることなく結合できる。よって、集塵アタッチメント４０をハンマードリル１から取り外して単独使用する際に支持や操作がしやすくなり、良好な使い勝手が得られる。
【００２４】
特にここでは、アダプタ６０に、電気回路を開閉操作するスイッチ７４を備えたことで、集塵アタッチメント４０の動作を任意にＯＮ／ＯＦＦ可能となり、使い勝手が向上すると共に、バッテリーパック２２の充電量の節約にもなる。
また、平面視でバッテリーパック２２と集塵アタッチメント４０との間に位置するハンドル６３を備えたことで、集塵アタッチメント４０を単独使用する際のバランスがよくなり、使用感が良好となる。
そして、付属品の収納部７２を設けたことで、付け替え用のノズルや工具等の小物を保管でき、より便利となる。
【００２５】
なお、上記形態では、電源装着部をアダプタの後方部に、アタッチメント装着部をアダプタの前方部にそれぞれ配置しているが、集塵アタッチメントの構造（ダストボックスの着脱構造やフレキシブルホースの接続位置等）によっては両装着部を左右にそれぞれ配置してもよい。また、バッテリーパックはアダプタ本体の側面や後面で横向きにスライド装着させるようにしてもよい。
さらに、ハンドルは、後方へ突出する形態に限らず、後端がアダプタ本体の後端へ繋がるループ状としたり、横向きに突設したり等、他の形状とすることも可能である。収納部も、保持片に代えて付属品が嵌合する凹部としたり、蓋を設けた凹部としたりする等、適宜変更可能である。但し、アダプタ本体の形状によってはハンドルを省略したり、収納部をなくしたりすることも可能である。
【００２６】
一方、アダプタの電気回路も、コンデンサやトランジスタ等を用いた周知の遅延回路を付加して、スイッチをＯＦＦ操作した際に所定時間遅れてモータが停止するようにしてもよい。このような遅延回路を設ければ、フレキシブルホース等に残った粉塵も確実にダストボックスに回収することができる。勿論この遅延回路は集塵アタッチメント側へ設けることも可能である。また、アダプタにスイッチを設けず、アダプタへの装着と同時に集塵アタッチメントが作動するようにすることは可能である。
さらに、アダプタに設けられる電源装着部は、上記形態に限らず、電動工具の第１装着部の形態に合わせて差し込み式等の他の形態に変更してもよい。同様にアタッチメント装着部の形態も、電動工具の第２装着部の形態に合わせて他の形態に変更してもよい。従って、電源装着部と同じ形態である必要はなく、ケーシングが結合される箇所と電気接続される箇所とが別々であってもよい。
【００２７】
その他、電動工具もハンマードリルに限らず、集塵アタッチメントが装着可能なＤＣ工具であれば、電動ドリルやハンマー、インパクトドリル等であっても本発明のアダプタとの間で集塵アタッチメント及びバッテリーパックを付け替えて使用できる。但し、バッテリーパックは電動工具用とアダプタ用とで２つ用意して、集塵アタッチメントのみ付け替え使用するようにしても差し支えない。
【符号の説明】
【００２８】
１・・ハンマードリル、２・・ハウジング、３，４２・・モータ、１０・・ツールホルダ、１８・・先端工具、２２・・バッテリーパック、２３・・第１装着部、２４，３１，６６，７０・・ガイドレール、２５，５７・・スライドレール、２６，３２，６７，７１・・端子、２９・・突出部、３０・・第２装着部、４０・・集塵アタッチメント、４１・・ケーシング、４４・・集塵ファン、５１・・ダストボックス、５４・・フレキシブルホース、６０・・集塵アタッチメント用アダプタ、６１・・アダプタ本体、６２・・立ち上げ部、６３・・ハンドル、６４・・角部、６５・・電源装着部、６９・・アタッチメント装着部、７２・・収納部、７３，７５・・ノズル、７４・・スイッチ。
【図１】
0005647075.tif 000002
【図２】
0005647075.tif 000003